(57)【要約】【課題】複数の情報を集中管理することである。【解決手段】所定の情報の更新情報を配信する複数のＲＳＳ／フィードサーバ１０１〜１０ｎと通信接続される受信部２１と、更新情報の配信先であるイベント閲覧装置３０に通信接続される配信部２３と、受信部２１を介してＲＳＳ／フィードサーバ１０１〜１０ｎから複数の更新情報を受信し、当該受信した複数の更新情報をＨＴＴＰ（HyperText Transfer Protocol）で配信できる統一した形式のフォーマットの更新情報に変換し、配信部２３を介して前記変換した複数の更新情報をイベント閲覧装置３０に配信する制御部２２と、を備える。【選択図】図１
2009181548.tif 000002
【特許請求の範囲】
【請求項１】
所定の情報の更新情報を配信する複数の第１の外部機器と通信接続される受信部と、
更新情報の配信先である第２の外部機器に通信接続される配信部と、
前記受信部を介して前記複数の第１の外部機器から複数の更新情報を受信し、当該受信した複数の更新情報をＨＴＴＰ（HyperText Transfer Protocol）で配信できる統一した形式のフォーマットの更新情報に変換し、前記配信部を介して前記変換した更新情報を前記第２の外部機器に配信する制御部と、を備えるアグリゲーション装置。
【請求項２】
前記制御部は、前記変換した複数の更新情報に予め設定された情報処理を施す請求項１に記載のアグリゲーション装置。
【請求項３】
前記フォーマットは、ＲＳＳ（Rich Site Summary）又はＡｔｏｍである請求項１又は２に記載のアグリゲーション装置。
【請求項４】
請求項１から３のいずれか一項に記載のアグリゲーション装置を複数備え、
前記複数のアグリゲーション装置が多段に接続されているアグリゲーションシステム。
【発明の詳細な説明】
【技術分野】
【０００１】
本発明は、アグリゲーション装置及びアグリゲーションシステムに関する。
【背景技術】
【０００２】
従来、計測機器から情報を収集するシステムが知られている。例えば、複数の計測機器とコンピュータとからなるシステムにおいて、コンピュータから全計測機器にブロードキャストで問い合わせし、各計測機器が計測情報と自己の動作状態情報とをコンピュータに応答・通知する構成が考えられている（例えば、特許文献１参照）。
【０００３】
また、計測機器と端末とからなるシステムにおいて、計測機器がＷｅｂサーバ機能を有し、端末と計測機器とがＨＴＴＰ（Hyper Text Transfer Protocol）で第１のコネクションが確立され、端末から計測機器に第１のコネクションを介してイベントの配信が要求されると、端末と計測機器とが、ＨＴＴＰと別のプロトコルで第２のコネクションが確立され、第２のコネクションを介して計測機器のイベントが端末に送信される構成が考えられている（例えば、特許文献２参照）。第２のコネクションが動的に生成されてイベントが送信されるので、不正アクセスを防止してイベントを端末に送信して表示できる。
【０００４】
上記の計測情報やイベントを、コンピュータ、端末で収集して表示するシステムは、動作及び構成が複雑である。上記システムとは別に、プラントや工場で発生したイベントや軽度の警報情報を、専用のイベント配信システムを用いて容易に端末に配信して表示する構成が考えられている（例えば、特許文献３参照）。図４に、従来のイベント配信システム３の構成を示す。図４に示すように、従来のイベント配信システム３は、イベント閲覧装置３０と、ファイアウオール７１Ａ，７２Ａと、Ｗｅｂサーバ１１０と、情報変換部１２０と、イベントロガー９０と、を備えて構成される。
【０００５】
イベント閲覧装置３０とＷｅｂサーバ１１０とは、ファイアウオール７１Ａ，７２Ａを介して通信ネットワークで接続されている。情報変換部１２０は、イベントロガー９０から入力されたイベント情報を、イベント情報の更新のためのＲＳＳ（Rich Site Summary）フォーマットに変換してＲＳＳファイル１３０を生成してＷｅｂサーバ１１０に出力する。Ｗｅｂサーバ１１０は、情報変換部１２０から入力されるＲＳＳファイル１３０を参照し、ＲＳＳファイル１３０をＨＴＴＰ（Hyper Text Transfer Protocol）により、ファイアウオール７２Ａ、通信ネットワーク、ファイアウオール７２Ａを介してイベント閲覧装置３０へ送信する。
【０００６】
イベント閲覧装置３０では、情報閲覧用のプログラムとしてのＲＳＳリーダ３１が実行されている。イベント閲覧装置３０は、Ｗｅｂサーバ１１０から受信したＲＳＳファイル１３０をＲＳＳリーダ３１により表示し、ＲＳＳファイル１３０により更新されたイベント情報をユーザに閲覧させる。ＲＳＳファイル１３０に代えて、Ａｔｏｍファイルとしてもよい。また、ＲＳＳリーダ３１に代えて、Ｗｅｂブラウザとしてもよい。
【特許文献１】特開２００１−５６８９６号公報
【特許文献２】特開２００５−３２２０１６号公報
【特許文献３】特開２００７−３３４７２３号公報
【発明の開示】
【発明が解決しようとする課題】
【０００７】
しかし、上記ＨＴＴＰとＲＳＳ／Ａｔｏｍとを利用した従来のイベント配信システム３は、個々のプラント又は工場が配信サーバとしてのＷｅｂサーバ１１０を備え、ユーザがイベント閲覧装置３０のＲＳＳリーダ３１又はＷｅｂブラウザにより表示されたＲＳＳファイル又はＡｔｏｍファイルを閲覧する。このとき、ユーザが複数のプラント／工場の情報を一括して管理するのが困難であった。例えば、各プラント又は工場は、ＲＳＳリーダ３１又はＷｅｂブラウザ上で別々に扱われ、各プラント又は工場の情報をまとめて表示することができなかった。また、各プラント又は工場の情報が全て配信されてしまうため、ユーザが不必要とする情報もユーザは閲覧する必要があった。
【０００８】
本発明の課題は、複数の情報を集中管理することである。
【課題を解決するための手段】
【０００９】
上記課題を解決するため、請求項１に記載の発明のアグリゲーション装置は、
所定の情報の更新情報を配信する複数の第１の外部機器と通信接続される受信部と、
更新情報の配信先である第２の外部機器に通信接続される配信部と、
前記受信部を介して前記複数の第１の外部機器から複数の更新情報を受信し、当該受信した複数の更新情報をＨＴＴＰ（HyperText Transfer Protocol）で配信できる統一した形式のフォーマットの更新情報に変換し、前記配信部を介して前記変換した更新情報を前記第２の外部機器に配信する制御部と、を備える。
【００１０】
請求項２に記載の発明は、請求項１に記載のアグリゲーション装置において、
前記制御部は、前記変換した複数の更新情報に予め設定された情報処理を施す。
【００１１】
請求項３に記載の発明は、請求項１又は２に記載のアグリゲーション装置において、
前記フォーマットは、ＲＳＳ（Rich Site Summary）又はＡｔｏｍである。
【００１２】
請求項４に記載の発明のアグリゲーションシステムは、
請求項１から３のいずれか一項に記載のアグリゲーション装置を複数備え、
前記複数のアグリゲーション装置が多段に接続されている。
【発明の効果】
【００１３】
請求項１に記載の発明によれば、複数の更新情報を統一したフォーマットに変換して配信するので、複数の更新情報を集約して情報を集中管理できる。また、ＨＴＴＰを用いるので、よく使われる通信環境に容易に適用できる。
【００１４】
請求項２に記載の発明によれば、複数の更新情報に情報処理を施して配信できる。
【００１５】
請求項３に記載の発明によれば、ＲＳＳ又はＡｔｏｍを用いるので、その閲覧に既存の閲覧プログラムを用いることができる。
【００１６】
請求項４に記載の発明によれば、複数の更新情報を統一したフォーマットに変換して配信し、その配信された更新情報をさらに統一したフォーマットに変換して配信することを繰り返すので、複数の更新情報を集約して情報を集中管理できる。
【発明を実施するための最良の形態】
【００１７】
以下、図面を参照して、本発明に係る実施の形態及び変形例について順に説明する。但し、発明の範囲は図示例に限定されない。
【００１８】
図１及び図２を参照して、本発明に係る実施の形態を説明する。先ず、図１を参照して、本実施の形態のアグリゲーションシステム１の装置構成を説明する。図１に、本実施の形態のアグリゲーションシステム１の構成を示す。
【００１９】
図１に示すように、アグリゲーションシステム１は、第１の外部機器としてのＲＳＳ／Ａｔｏｍフィードサーバ１０１〜１０ｎ（ｎは２以上の任意の整数）と、アグリゲーション装置２０と、第２の外部機器としてのイベント閲覧装置３０と、を備えて構成される。アグリゲーション装置２０は、受信部２１と、制御部２２と、配信部２３と、を備えて構成される。アグリゲーション装置２０は、ＲＳＳ／Ａｔｏｍフィードサーバ１０１〜１０ｎ及びイベント閲覧装置３０と、通信ネットワークを介して通信接続されている。
【００２０】
ＲＳＳ／Ａｔｏｍフィードサーバ１０１〜１０ｎは、それぞれ、別々のプラント／工場に設けられ、当該プラント／工場のイベント及び軽度の警報情報を収集して配信するサーバ装置である。イベント及び軽度の警報情報をまとめて、イベント情報とする。
【００２１】
ＲＳＳ／Ａｔｏｍフィードサーバ１０１〜１０ｎは、それぞれ、情報変換部（図示略）を介してイベントロガー（図示略）に接続される。イベントロガーは、各プラント／工場のイベント情報を収集して情報変換部に出力する。情報変換部は、イベントロガーから入力されたイベント情報をＲＳＳフォーマット又はＡｔｏｍフォーマットに変換してＲＳＳファイル又はＡｔｏｍファイルを生成して、接続先のＲＳＳ／Ａｔｏｍフィードサーバ１０１〜１０ｎに出力する。ＲＳＳ／Ａｔｏｍフィードサーバ１０１〜１０ｎは、それぞれ、情報変換部から入力されたＲＳＳファイル又はＡｔｏｍファイルを保持し、アグリゲーション装置２０に送信する。
【００２２】
ＲＳＳは、Ｗｅｂサイトの見出しや要約等のメタデータを構造化して記述するＸＭＬ（eXtensible Markup Language）フォーマットであり、主としてＷｅｂサイトの更新情報を公開する目的で使用されている。ＲＳＳで記述された文書には、Ｗｅｂサイトの各ページのタイトル、アドレス、見出し、要約、更新時刻などを記述することができる。このＲＳＳフォーマットで作成された文書を用いることによって、多数のＷｅｂサイトの更新情報を統一的な方法で効率的に把握することができる。
【００２３】
Ａｔｏｍは、ＲＳＳと同様にＷｅｂサイトの見出しや要約等のメタデータを構造化して記述するＸＭＬフォーマットである。ＲＳＳに互換性のないバージョンが出現し、また仕様が複雑になって使い難くなったので、新しいフォーマットとして考案された。
【００２４】
ＲＳＳ及びＡｔｏｍがいずれもＸＭＬフォーマットで記述されるので、ＲＳＳ／Ａｔｏｍフィードサーバ１０１〜１０ｎは、通常使用されているアパッチ（Apache）等を使用することができる。
【００２５】
アグリゲーション装置２０は、ＲＳＳ／Ａｔｏｍフィードサーバ１０１〜１０ｎから受信したイベント情報のＲＳＳファイル又はＡｔｏｍファイルをイベント閲覧装置３０へ配信する装置である。受信部２１は、ＲＳＳ／Ａｔｏｍフィードサーバ１０１〜１０ｎからＲＳＳファイル又はＡｔｏｍファイルを受信して制御部２２に出力する。
【００２６】
制御部２２は、例えば、ＣＰＵ（Central Processing Unit）、ＲＡＭ、メモリ等を有し、メモリから読み出されてＲＡＭに展開されたプログラムと、ＣＰＵとの協働で各種処理を実行する。制御部２２は、受信部２１を介して受信されたＲＳＳファイル又はＡｔｏｍファイルを統一したフォーマットに変換し、イベント閲覧装置３０の要求に応じて、配信部２３を介して変換した更新情報（ＲＳＳファイル又はＡｔｏｍファイル）をイベント閲覧装置３０へ配信する。制御部２２の動作は、詳細に後述する。配信部２３は、制御部２２により変換されたＲＳＳファイル又はＡｔｏｍファイルをイベント閲覧装置３０へ配信する。
【００２７】
イベント閲覧装置３０は、イベント情報を表示する装置である。イベント閲覧装置３０では、ＲＳＳリーダ３１が実行されている。
【００２８】
ＲＳＳリーダ３１は、指定された周期でアグリゲーション装置２０を巡回し、ＲＳＳファイルをダウンロードして、更新部分があるとそれを抽出して表示する。ＲＳＳリーダ３１は、通常Ｗｅｂサイトの更新情報を収集するために用いられているものを使用する。
【００２９】
イベント閲覧装置３０は、ＲＳＳファイル又はＡｔｏｍファイルをアグリゲーション装置２０に要求して受信し、ＲＳＳリーダ３１により、受信したＲＳＳファイル又はＡｔｏｍファイルに基づいてイベント情報の更新情報を表示部（図示略）に表示する。ユーザは、イベント閲覧装置３０に表示されたイベント情報の更新情報を閲覧し、そのイベント情報の更新情報に応じた対応をとることになる。
【００３０】
なお、ＲＳＳ／Ａｔｏｍフィードサーバ１０１〜１０ｎとアグリゲーション装置２０との通信には、ＨＴＴＰが用いられる。また、アグリゲーション装置２０とイベント閲覧装置３０との通信にも、ＨＴＴＰが用いられる。このため、ＨＴＴＰのポート番号としてよく使用される８０番を用いることができる。そのため、アグリゲーション装置２０と、ＲＳＳ／Ａｔｏｍフィードサーバ１０１〜１０ｎ又はイベント閲覧装置３０との通信には、ファイアウオールなどのセキュリティ問題により使用が制限されることがない。
【００３１】
また、ＲＳＳ又はＡｔｏｍだけではセキュリティ機能はないが、ＳＳＬ（Secure Socket Layer）等Ｗｅｂブラウザでよく用いられるセキュリティ技術をそのまま用いることができる。そのため、特別な技術を用いなくても、セキュアにイベント情報（の更新情報）を配信することができる。
【００３２】
次に、図２を参照して、アグリゲーション装置２０の動作を説明する。図２に、アグリゲーション処理の流れを示す。
【００３３】
アグリゲーション装置２０の制御部２２は、図２に示すアグリゲーション処理を実行する。例えば、アグリゲーション装置２０において、操作部（図示略）を介してアグリゲーション処理の実行が指示されると、メモリから読み出されてＲＡＭに展開されたアグリゲーションプログラムと、ＣＰＵとの協働でアグリゲーション処理が実行される。
【００３４】
ＲＳＳ／Ａｔｏｍフィードサーバ１０１〜１０ｎにおいては、それぞれ、ＲＳＳファイル又はＡｔｏｍファイルが配信可能に保持されているものとする。
【００３５】
先ず、ＲＳＳファイル又はＡｔｏｍファイルが、ＲＳＳ／Ａｔｏｍフィードサーバ１０１〜１０ｎから受信部２１を介して受信される（ステップＳ１）。ステップＳ１では、具体的には、受信部２１を介してＲＳＳ／Ａｔｏｍフィードサーバ１０１〜１０ｎにＲＳＳファイル又はＡｔｏｍファイルが要求され、受信部２１を介してＲＳＳ／Ａｔｏｍフィードサーバ１０１〜１０ｎから送信されたＲＳＳファイル又はＡｔｏｍファイルが受信される。
【００３６】
ＲＳＳは、５つのバージョンがあり、Ａｔｏｍも複数のバージョンがある。ＲＳＳ／Ａｔｏｍフィードサーバ１０１〜１０ｎは、それぞれお互いに、異なるバージョンのフォーマットのＲＳＳファイル又はＡｔｏｍファイルを送信してもよい。
【００３７】
そして、ステップＳ１で受信されたＲＳＳファイル又はＡｔｏｍファイルが、統一モデルのデータに変換される（ステップＳ２）。ＲＳＳファイル及びＡｔｏｍファイルは、フォーマットのバージョンの違いによりＸＭＬのスキーマが異なる。このため、ステップＳ２では、ＲＳＳファイル又はＡｔｏｍファイルが統一のモデルのデータに変換される。また、ステップＳ２では、例えば、統一モデルのデータとして、予め設定された所定バージョンのフォーマットのＡｔｏｍファイルに変換される。
【００３８】
以下、ステップＳ２の統一モデルとしての所定バージョンのフォーマットのＡｔｏｍのように、アグリゲーション処理において、予め設定されている情報は、アグリゲーション装置２０において、例えば、操作部（図示略）を介する管理者の操作入力により設定されているものとする。
【００３９】
そして、ステップＳ２で変換された統一モデルのデータに対して、予め設定された各種情報処理が施される（ステップＳ３）。ステップＳ３で実行される情報処理としては、例えば、統計処理、フィルタリング処理、時系列に沿った並び替え、プラント／工場の属する地域に応じた並び替え等のうち少なくとも一つの処理とする。例えば、情報処理が時系列に沿った並び替えである場合に、各ＲＳＳ／Ａｔｏｍフィードサーバ１０１〜１０ｎから受信され変換された統一モデルの複数のデータが、１つの統一モデルの１つのデータに結合される。また、情報処理の内容により、ステップＳ２で変換された統一モデルの１つのデータは、複数のデータになることがある。従って、ステップＳ３により、統一モデルの少なくとも一つのデータが生成される。
【００４０】
そして、ステップＳ３で情報処理が施された統一モデルのデータが、予め設定された所定のバージョンのＲＳＳファイル又はＡｔｏｍファイルに変換される（ステップＳ４）。また、ステップＳ３の情報処理結果後の統一モデルのデータの数が、ステップＳ４の変換後のＲＳＳファイル又はＡｔｏｍファイルの数と同じになる。また、ステップＳ４の変換のフォーマットと、ステップＳ２の統一モデルのフォーマットとが同じである場合には、ステップＳ４を省略することとしてもよい。
【００４１】
そして、ステップＳ４で変換後のＲＳＳファイル又はＡｔｏｍファイルが配信部２３を介してイベント閲覧装置３０へ配信され（ステップＳ５）、ステップＳ１に移行される。より具体的には、ステップＳ５の配信対象のＲＳＳファイル又はＡｔｏｍファイルが配信可能な状態で保持され、イベント閲覧装置３０からの要求に応じて配信が行われる。ステップＳ１の処理は、予め設定された周期で定期的に実行される。このため、ステップＳ１の処理が定期的に実行されるよう、ステップＳ５→Ｓ１へのループが実行される。
【００４２】
以上、本実施の形態によれば、アグリゲーション装置２０において、ＲＳＳ／Ａｔｏｍフィードサーバ１０１〜１０ｎから送信された複数のイベント情報のＲＳＳファイル／Ａｔｏｍファイルを統一したＲＳＳファイル又はＡｔｏｍファイルに変換して集約してイベント閲覧装置３０に配信する。このため、複数の更新情報を集約して情報を集中管理できる。また、ＨＴＴＰを用いるので、よく使われる通信環境に容易に適用できる。
【００４３】
また、制御部２２により、複数のＲＳＳファイル／Ａｔｏｍファイルを変換した統一モデルのデータに情報処理を施して配信できる。例えば、情報処理が、時系列の並べ替えのように、統一モデルの複数のデータを１つのデータに結合するものである場合に、その１つのデータに対応するＲＳＳファイル又はＡｔｏｍファイルがイベント閲覧装置３０に配信され、イベント閲覧装置３０でまとめて表示でき、例えば、ＲＳＳ／Ａｔｏｍフィードサーバ１０１〜１０ｎからの複数のイベント情報をまとめて表示できる。また、例えば、情報処理が、フィルタリングである場合に、閲覧に必要なデータを有するＲＳＳファイル又はＡｔｏｍファイルがイベント閲覧装置３０に配信され、イベント閲覧装置３０で表示できる。
【００４４】
また、変換するフォーマットとしてＲＳＳ又はＡｔｏｍを用いるので、その閲覧に既存の閲覧プログラムとしてのＲＳＳリーダ３１を用いることができる。
【００４５】
なお、ＨＴＴＰを用いるため、アグリゲーション装置２０からイベント閲覧装置３０にアクセスする、いわゆるプッシュ配信は行うことができず、イベント閲覧装置３０からアグリゲーション装置２０にアクセスするプル配信のみになる。イベント閲覧装置３０は指定された周期で定期的にアグリゲーション装置２０にアクセスするだけなので、リアルタイム性は低下する。そのため、リアルタイム性が要求される重要なイベント、警報は、リアルタイム性の高い配信方法で別途配信する必要がある。フィードサーバ１０１〜１０ｎからアグリゲーション装置２０への通信についても同様である。
【００４６】
（変形例）
図３を参照して、上記実施の形態の変形例を説明する。図３似、本変形例のアグリゲーションシステム２の構成を示す。
【００４７】
図３に示すように、アグリゲーションシステム２は、ＲＳＳ／Ａｔｏｍフィードサーバ４０１〜４０ｍ，５０１〜５０ｘ（ｍ，ｘは、２以上の任意の整数）と、アグリゲーション装置２０Ａ，２０Ｂ，２０Ｃと、イベント閲覧装置３０と、を備えて構成される。
【００４８】
アグリゲーション装置２０Ａは、通信ネットワークを介してＲＳＳ／Ａｔｏｍフィードサーバ４０１〜４０ｍ及びアグリゲーション装置２０Ｃと通信接続されている。アグリゲーション装置２０Ｂは、通信ネットワークを介してＲＳＳ／Ａｔｏｍフィードサーバ５０１〜５０ｘ及びアグリゲーション装置２０Ｃと通信接続されている。アグリゲーション装置２０Ｃは、通信ネットワークを介してＲＳＳ／Ａｔｏｍフィードサーバ６０１、アグリゲーション装置２０Ａ，２０Ｂ及びイベント閲覧装置３０と通信接続されている。
【００４９】
ＲＳＳ／Ａｔｏｍフィードサーバ４０１〜４０ｍ，５０１〜５０ｘ，６０１は、それぞれ、上記実施の形態のＲＳＳ／Ａｔｏｍフィードサーバ１０１と同様の構成である。アグリゲーション装置２０Ａ，２０Ｂ，２０Ｃは、それぞれ、上記実施の形態のアグリゲーション装置２０と同様の構成である。但し、アグリゲーション装置２０Ａにおいて、受信部が、ＲＳＳ／Ａｔｏｍフィードサーバ４０１〜４０ｍに通信接続され、配信部が、アグリゲーション装置２０Ｃに通信接続される。アグリゲーション装置２０Ｂにおいて、受信部が、ＲＳＳ／Ａｔｏｍフィードサーバ５０１〜５０ｘに通信接続され、配信部が、アグリゲーション装置２０Ｃに通信接続される。アグリゲーション装置２０Ｃにおいて、受信部が、ＲＳＳ／Ａｔｏｍフィードサーバ６０１，アグリゲーション装置２０Ａ，２０Ｂに通信接続され、配信部が、イベント閲覧装置３０に通信接続される。また、各装置間の通信は、ＨＴＴＰが用いられる。
【００５０】
アグリゲーション装置の出力は、ＲＳＳファイル又はＡｔｏｍファイルであるため、アグリゲーションシステム２のように、多段のアグリゲーション装置を有するアグリゲーションシステムを構築することが可能である。また、アグリゲーションシステムにおいて、ＲＳＳ／Ａｔｏｍフィードサーバ、アグリゲーション装置の台数と、通信接続の段数とは、図３のアグリゲーションシステム２の例に限定されるものではない。
【００５１】
例えば、アジア、アメリカ及び日本を跨いだ規模の大きい事業に、アグリゲーションシステム２と適用する例を考える。アグリゲーションシステム２において、アジアに存在するプラント／工場にＲＳＳ／Ａｔｏｍフィードサーバ４０１〜４０ｍが設置され、そのアジアのイベント情報をアグリゲーション装置２０Ａが受信及びフォーマット変換しアグリゲーション装置２０Ｃに配信するものとする。アメリカに存在するプラント／工場にＲＳＳ／Ａｔｏｍフィードサーバ５０１〜５０ｘが設置され、そのアメリカのイベント情報をアグリゲーション装置２０Ｂが受信及びフォーマット変換しアグリゲーション装置２０Ｃに配信するものとする。また、日本に存在するプラント／工場にＲＳＳ／Ａｔｏｍフィードサーバ６０１が設置されるものとする。
【００５２】
アグリゲーション装置２０Ｃは、アグリゲーション装置２０Ａにより配信されたアジアのイベント情報と、アグリゲーション装置２０Ｂにより配信されたアメリカのイベント情報と、ＲＳＳ／Ａｔｏｍフィードサーバ６０１から受信した日本のイベント情報と、を受信及びフォーマット変換し、イベント閲覧装置３０へ配信する。
【００５３】
以上、本変形例によれば、アグリゲーションシステム２において、アグリゲーション装置２０Ａ，２０Ｂが、ＲＳＳ／Ａｔｏｍフィードサーバ４０１〜４０ｍ、ＲＳＳ／Ａｔｏｍフィードサーバ５０１〜５０ｘから送信された複数のＲＳＳファイル／Ａｔｏｍファイルを統一したＲＳＳファイル又はＡｔｏｍファイルに変換してアグリゲーション装置２０Ｃに配信し、アグリゲーション装置２０Ｃが、アグリゲーション装置２０Ａ，２０Ｂから配信された複数のＲＳＳファイル／Ａｔｏｍファイルを統一したＲＳＳファイル又はＡｔｏｍファイルに変換してイベント閲覧装置３０に配信する。このため、複数の更新情報を統一したフォーマットに変換して配信し、その配信された更新情報をさらに統一したフォーマットに変換して配信することを繰り返すので、複数の更新情報を集約して情報を集中管理できる。
【００５４】
なお、上記実施の形態及び変形例における記述は、本発明に係るアグリゲーション装置及びアグリゲーションシステムの一例であり、これに限定されるものではない。
【００５５】
上記実施の形態及び変形例では、ＲＳＳリーダ３１が実行されるイベント閲覧装置３０を備えることとしたが、これに限定されるものではない。例えば、ＲＳＳリーダ３１に代えて、Ｗｅｂブラウザ等、ＲＳＳ又はＡｔｏｍフォーマットの情報を読み取ることができるものであれば、任意の閲覧プログラムを使用することができる。
【００５６】
また、上記実施の形態及び変形例では、ＨＴＴＰで情報を配信する一般的なフォーマットとしてＲＳＳ及びＡｔｏｍを用いる構成としたが、これに限定されることはない。例えば、ＨＴＴＰで配信することができるフォーマットであれば、任意のフォーマットを用いることができる。また、配信する更新情報は、ＲＳＳファイル，Ａｔｏｍファイルに限定されるものではなく、他のフィードとしてもよい。
【００５７】
また、上記実施の形態及び変形例では、イベント及び軽度の警報情報の少なくとも一つを含むイベント情報の更新情報を配信する構成を説明したが、これに限定されるものではない。例えば、ドキュメントの更新情報、工場／プラントの操業情報（の更新情報）を配信する構成としてもよい。
【００５８】
また、イベントや警報だけでなく、日報や週報、月報等、定期的に発生する情報を配信する構成としてもよい。日報や週報、月報を閲覧するには、ＨＴＭＬドキュメントの方が効率がよいが、ＲＳＳやＡｔｏｍフォーマットで配信することも可能である。
【００５９】
また、機器の稼働状況を配信することもできる。機器管理システムがアグリゲーションシステム１，２を利用して機器の情報を収集することもできる。
【００６０】
さらに、気象システムなどの広域システムにアグリゲーションシステム１，２を利用することもできる。気象システムが本発明の情報配信システムを用いて気象情報を配信し、この気象情報をまとめて気象状況を知るようにすることもできる。
【００６１】
その他、上記実施の形態及び各変形例におけるアグリゲーションシステム１，２の細部構成及び詳細動作に関しても、本発明の趣旨を逸脱しない範囲で適宜変更可能である。
【図面の簡単な説明】
【００６２】
【図１】本発明に係る実施の形態のアグリゲーションシステムの構成を示すブロック図である。
【図２】アグリゲーション処理を示すフローチャートである。
【図３】実施の形態の変形例のアグリゲーションシステムの構成を示すブロック図である。
【図４】従来のイベント配信システムの構成を示すブロック図である。
【符号の説明】
【００６３】
１，２  アグリゲーションシステム
１０１〜１０ｎ，４０１〜４０ｍ，５０１〜５０ｘ，６０１  ＲＳＳ／Ａｔｏｍフィードサーバ
２０，２０Ａ，２０Ｂ，２０Ｃ  アグリゲーション装置
２１  受信部
２２  制御部
２３  配信部
３０  イベント閲覧装置
３１  ＲＳＳリーダ
３  イベント配信システム
７１Ａ，７２Ａ  ファイアウオール
９０  イベントロガー
１１０  Ｗｅｂサーバ
１２０  情報変換部
１３０  ＲＳＳファイル
【図１】
2009181548.tif 000003
【図２】
2009181548.tif 000004
【図３】
2009181548.tif 000005
【図４】
2009181548.tif 000006